(57)【要約】【課題】更なる新たなエンターテイメント性を備えたスロットマシン１３を提供する。【解決手段】プレーヤの携帯電話３００と通信可能なインターフェイスとを備え、タッチパネル３２において、プレーヤが購入するクレジットの数を示すクレジット数データの入力を受け付け、入力を受け付けたことを条件に、プレーヤの携帯電話３００に、金銭的価値を示す金銭的価値データを送信させるための送信要求データを送信し、送信要求データを送信したことを条件に、プレーヤの携帯電話３００から金銭的価値データを受信し、受信した金銭的価値データを所定の変換率でクレジット数データに変換するゲームコントローラ１００を備える。【選択図】図２
2008062047.tif 000002
【特許請求の範囲】
【請求項１】
プレーヤの携帯電話と通信可能なインターフェイスと、
プレーヤの押圧操作によりデータの入力が可能なディスプレイと、
前記ディスプレイにおいて、プレーヤが購入するクレジットの数を示すクレジット数データの入力を受け付け、前記入力を受け付けたことを条件に、前記携帯電話に、金銭的価値を示す金銭的価値データを送信させるための送信要求データを送信し、前記送信要求データを送信したことを条件に、前記携帯電話から前記金銭的価値データを受信し、受信した前記金銭的価値データを所定の変換率で前記クレジット数データに変換する、ゲームコントローラと、を備えることを特徴とするスロットマシン。
【請求項２】
前記スロットマシンは、前記携帯電話を固定するホルダーと、
プレーヤが前記ディスプレイの所定の位置を押圧操作することにより、前記金銭的価値データを前記クレジット数データに変換することを許可する信号を出力する変換決定ボタンと、をさらに備え、
前記インターフェイスは、前記携帯電話が前記ホルダーに固定されることを条件に、無線通信により前記携帯電話と通信可能となり、
前記ゲームコントローラは、前記変換決定ボタンが前記許可する信号を出力することを条件に、前記金銭的価値データを前記クレジット数データに変換することを特徴とする請求項１記載のスロットマシン。
【請求項３】
前記スロットマシンは、複数種類の金銭的価値ごとに複数の前記所定の変換率を記憶する変換率管理サーバと通信可能に接続され、
前記ゲームコントローラは、前記変換率管理サーバから所定の時間間隔で複数の前記所定の変換率を示す複数の変換率データを受信し、受信した複数の前記変換率データを前記ディスプレイに表示し、前記ディスプレイに表示したことを条件に、前記クレジット数データの入力を受け付けることを特徴とする請求項１記載のスロットマシン。
【請求項４】
前記ゲームコントローラは、前記クレジット数データに変換する前記金銭的価値データの上限値の入力を受け付け、受信した前記金銭的価値データが前記上限値を超えないことを条件に、前記金銭的価値データを前記クレジット数データに変換することを特徴とする請求項１記載のスロットマシン。
【請求項５】
複数種類の金銭的価値ごとに複数の所定の変換率を記憶する変換率管理サーバと通信可能に接続され、
プレーヤの携帯電話を固定するホルダーと、
前記携帯電話が前記ホルダーに固定されることを条件に、無線通信により前記携帯電話と通信可能となるインターフェイスと、
プレーヤの押圧操作によりデータの入力が可能なディスプレイと、
プレーヤが前記ディスプレイの所定の位置を押圧操作することにより、金銭的価値を示す金銭的価値データを、プレーヤが購入するクレジットの数を示すクレジット数データに変換すること、を許可する信号を出力する変換決定ボタンと、
前記変換率管理サーバから所定の時間間隔で複数の前記所定の変換率を示す複数の変換率データを受信し、受信した複数の前記変換率データを前記ディスプレイに表示し、前記ディスプレイに表示したことを条件に、前記ディスプレイにおいて、前記クレジット数データの入力を受け付け、前記入力を受け付けたことを条件に、前記携帯電話に、前記金銭的価値データを送信させるための送信要求データを送信し、前記送信要求データを送信したことを条件に、前記携帯電話から前記金銭的価値データを受信し、前記変換決定ボタンが前記許可する信号を出力することを条件に、受信した前記金銭的価値データを前記所定の変換率で前記クレジット数データに変換する、ゲームコントローラと、を備えることを特徴とするスロットマシン。
【請求項６】
プレーヤの携帯電話を固定するホルダーと、
前記携帯電話が前記ホルダーに固定されることを条件に、無線通信により前記携帯電話と通信可能となるインターフェイスと、
プレーヤの押圧操作によりデータの入力が可能なディスプレイと、
プレーヤが前記ディスプレイの所定の位置を押圧操作することにより、金銭的価値を示す金銭的価値データを、プレーヤが購入するクレジットの数を示すクレジット数データに変換すること、を許可する信号を出力する変換決定ボタンと、
前記ディスプレイにおいて、前記クレジット数データに変換する前記金銭的価値データの上限値の入力を受け付け、前記上限値の入力を受け付けたことを条件に、前記クレジット数データの入力を受け付け、前記クレジット数データの入力を受け付けたことを条件に、前記携帯電話に、前記金銭的価値データを送信させるための送信要求データを送信し、前記送信要求データを送信したことを条件に、前記携帯電話から前記金銭的価値データを受信し、前記変換決定ボタンが前記許可する信号を出力すること、及び、受信した前記金銭的価値データが前記上限値を超えないことを条件に、受信した前記金銭的価値データを所定の変換率で前記クレジット数データに変換する、ゲームコントローラと、を備えることを特徴とするスロットマシン。
【請求項７】
複数種類の金銭的価値ごとに複数の所定の変換率を記憶する変換率管理サーバと通信可能に接続され、
プレーヤの携帯電話を固定するホルダーと、
前記携帯電話が前記ホルダーに固定されることを条件に、無線通信により前記携帯電話と通信可能となるインターフェイスと、
プレーヤの押圧操作によりデータの入力が可能なディスプレイと、
プレーヤが前記ディスプレイの所定の位置を押圧操作することにより、金銭的価値を示す金銭的価値データを、プレーヤが購入するクレジットの数を示すクレジット数データに変換すること、を許可する信号を出力する変換決定ボタンと、
前記変換率管理サーバから所定の時間間隔で複数の前記所定の変換率を示す複数の変換率データを受信し、受信した複数の前記変換率データを前記ディスプレイに表示し、前記ディスプレイに表示したことを条件に、前記ディスプレイにおいて、前記クレジット数データに変換する前記金銭的価値データの上限値の入力を受け付け、前記上限値の入力を受け付けたことを条件に、前記クレジット数データの入力を受け付け、前記クレジット数データの入力を受け付けたことを条件に、前記携帯電話に、前記金銭的価値データを送信させるための送信要求データを送信し、前記送信要求データを送信したことを条件に、前記携帯電話から前記金銭的価値データを受信し、前記変換決定ボタンが前記許可する信号を出力すること、及び、受信した前記金銭的価値データが前記上限値を超えないことを条件に、受信した前記金銭的価値データを前記所定の変換率で前記クレジット数データに変換する、ゲームコントローラと、を備えることを特徴とするスロットマシン。
【請求項８】
プレーヤの携帯電話と通信可能なインターフェイスと、プレーヤの押圧操作によりデータの入力が可能なディスプレイと、を備えるスロットマシンにおいて、ゲームコントローラがゲームを進行させる方法であり、
前記ディスプレイにおいて、プレーヤが購入するクレジットの数を示すクレジット数データの入力を受け付ける段階と、
前記入力を受け付けたことを条件に、前記携帯電話に、金銭的価値を示す金銭的価値データを送信させるための送信要求データを送信する段階と、
前記送信要求データを送信したことを条件に、前記携帯電話から前記金銭的価値データを受信する段階と、
受信した前記金銭的価値データを所定の変換率で前記クレジット数データに変換する段階と、を含むことを特徴とするゲーム制御方法。
【請求項９】
前記スロットマシンは、前記携帯電話を固定するホルダーと、
プレーヤが前記ディスプレイの所定の位置を押圧操作することにより、前記金銭的価値データを前記クレジット数データに変換することを許可する信号を出力する変換決定ボタンと、をさらに備えており、
前記ゲームコントローラが、
前記携帯電話が前記ホルダーに固定されることを条件に、無線通信により前記携帯電話と前記インターフェイスを介して通信可能とする段階と、
前記変換決定ボタンが前記許可する信号を出力することを条件に、前記金銭的価値データを前記クレジット数データに変換する段階と、を含むことを特徴とする請求項８記載のゲーム制御方法。
【請求項１０】
前記スロットマシンは、複数種類の金銭的価値ごとに複数の前記所定の変換率を記憶する変換率管理サーバと通信可能に接続され、
前記ゲームコントローラが、
前記変換率管理サーバから所定の時間間隔で複数の前記所定の変換率を示す複数の変換率データを受信する段階と、
受信した複数の前記変換率データを前記ディスプレイに表示する段階と、
前記ディスプレイに表示したことを条件に、前記クレジット数データの入力を受け付ける段階と、を含むことを特徴とする請求項８記載のゲーム制御方法。
【請求項１１】
前記ゲームコントローラが、
前記クレジット数データに変換する前記金銭的価値データの上限値の入力を受け付ける段階と、
受信した前記金銭的価値データが前記上限値を超えないことを条件に、前記金銭的価値データを前記クレジット数データに変換する段階と、を含むことを特徴とする請求項８記載のゲーム制御方法。
【請求項１２】
複数種類の金銭的価値ごとに複数の所定の変換率を記憶する変換率管理サーバと通信可能に接続され、
プレーヤの携帯電話を固定するホルダーと、
前記携帯電話が前記ホルダーに固定されることを条件に、無線通信により前記携帯電話と通信可能となるインターフェイスと、
プレーヤの押圧操作によりデータの入力が可能なディスプレイと、
プレーヤが前記ディスプレイの所定の位置を押圧操作することにより、金銭的価値を示す金銭的価値データを、プレーヤが購入するクレジットの数を示すクレジット数データに変換すること、を許可する信号を出力する変換決定ボタンと、を備えており、
前記変換率管理サーバから所定の時間間隔で複数の前記所定の変換率を示す複数の変換率データを受信する段階と、
受信した複数の前記変換率データを前記ディスプレイに表示する段階と、
前記ディスプレイに表示したことを条件に、前記ディスプレイにおいて、前記クレジット数データの入力を受け付ける段階と、
前記入力を受け付けたことを条件に、前記携帯電話に、前記金銭的価値データを送信させるための送信要求データを送信する段階と、
前記送信要求データを送信したことを条件に、前記携帯電話から前記金銭的価値データを受信する段階と、
前記変換決定ボタンが前記許可する信号を出力することを条件に、受信した前記金銭的価値データを前記所定の変換率で前記クレジット数データに変換する段階と、を含むことを特徴とするゲーム制御方法。
【請求項１３】
プレーヤの携帯電話を固定するホルダーと、
前記携帯電話が前記ホルダーに固定されることを条件に、無線通信により前記携帯電話と通信可能となるインターフェイスと、
プレーヤの押圧操作によりデータの入力が可能なディスプレイと、
プレーヤが前記ディスプレイの所定の位置を押圧操作することにより、金銭的価値を示す金銭的価値データを、プレーヤが購入するクレジットの数を示すクレジット数データに変換すること、を許可する信号を出力する変換決定ボタンと、を備えており、
前記ディスプレイにおいて、前記クレジット数データに変換する前記金銭的価値データの上限値の入力を受け付ける段階と、
前記上限値の入力を受け付けたことを条件に、前記クレジット数データの入力を受け付ける段階と、
前記クレジット数データの入力を受け付けたことを条件に、前記携帯電話に、前記金銭的価値データを送信させるための送信要求データを送信する段階と、
前記送信要求データを送信したことを条件に、前記携帯電話から前記金銭的価値データを受信する段階と、
前記変換決定ボタンが前記許可する信号を出力すること、及び、受信した前記金銭的価値データが前記上限値を超えないことを条件に、受信した前記金銭的価値データを所定の変換率で前記クレジット数データに変換する段階と、を含むことを特徴とするゲーム制御方法。
【請求項１４】
複数種類の金銭的価値ごとに複数の所定の変換率を記憶する変換率管理サーバと通信可能に接続され、
プレーヤの携帯電話を固定するホルダーと、
前記携帯電話が前記ホルダーに固定されることを条件に、無線通信により前記携帯電話と通信可能となるインターフェイスと、
プレーヤの押圧操作によりデータの入力が可能なディスプレイと、
プレーヤが前記ディスプレイの所定の位置を押圧操作することにより、金銭的価値を示す金銭的価値データを、プレーヤが購入するクレジットの数を示すクレジット数データに変換すること、を許可する信号を出力する変換決定ボタンと、を備えており、
前記変換率管理サーバから所定の時間間隔で複数の前記所定の変換率を示す複数の変換率データを受信する段階と、
受信した複数の前記変換率データを前記ディスプレイに表示する段階と、
前記ディスプレイに表示したことを条件に、前記ディスプレイにおいて、前記クレジット数データに変換する前記金銭的価値データの上限値の入力を受け付ける段階と、
前記上限値の入力を受け付けたことを条件に、前記クレジット数データの入力を受け付ける段階と、
前記クレジット数データの入力を受け付けたことを条件に、前記携帯電話に、前記金銭的価値データを送信させるための送信要求データを送信する段階と、
前記送信要求データを送信したことを条件に、前記携帯電話から前記金銭的価値データを受信する段階と、
前記変換決定ボタンが前記許可する信号を出力すること、及び、受信した前記金銭的価値データが前記上限値を超えないことを条件に、受信した前記金銭的価値データを前記所定の変換率で前記クレジット数データに変換する段階と、を含むことを特徴とするゲーム制御方法。
【発明の詳細な説明】
【技術分野】
【０００１】
本発明は、スロットマシン及びスロットマシンのゲーム制御方法に関するものである。
【背景技術】
【０００２】
近年、スロットマシンのネットワーク化が提案されており、例えば、特許文献１には、ネットワークで接続されたコンピュータ化ゲーム装置、特にセキュリティに留意した技術が開示されている。また、電子マネーの普及に伴い、携帯電話に記憶された金銭的価値により金銭の支払いを行うことが増えている。
【特許文献１】国際公開０３／０９０８８６号パンフレット
【発明の開示】
【発明が解決しようとする課題】
【０００３】
本発明は、携帯電話とスロットマシンとの連係によって新たな利便性を高めるスロットマシンを提供する。
【課題を解決するための手段】
【０００４】
本発明は、以上のような問題点に鑑みてなされたものであり、より具体的には、本発明では、以下のようなものを提供する。
【０００５】
（１）  プレーヤの携帯電話と通信可能なインターフェイスと、プレーヤの押圧操作によりデータの入力が可能なディスプレイと、前記ディスプレイにおいて、プレーヤが購入するクレジットの数を示すクレジット数データの入力を受け付け、前記入力を受け付けたことを条件に、前記携帯電話に、金銭的価値を示す金銭的価値データを送信させるための送信要求データを送信し、前記送信要求データを送信したことを条件に、前記携帯電話から前記金銭的価値データを受信し、受信した前記金銭的価値データを所定の変換率で前記クレジット数データに変換する、ゲームコントローラと、を備えることを特徴とするスロットマシン。
【０００６】
（１）記載のスロットマシンでは、プレーヤが購入するクレジットの数を示すクレジット数データの入力を受け付け、入力を受け付けたことを条件に、携帯電話に、金銭的価値を示す金銭的価値データを送信させるための送信要求データを送信し、送信要求データを送信したことを条件に、携帯電話から金銭的価値データを受信し、受信した金銭的価値データを所定の変換率でクレジット数データに変換する。
【０００７】
（２）  前記スロットマシンは、前記携帯電話を固定するホルダーと、プレーヤが前記ディスプレイの所定の位置を押圧操作することにより、前記金銭的価値データを前記クレジット数データに変換することを許可する信号を出力する変換決定ボタンと、をさらに備え、前記インターフェイスは、前記携帯電話が前記ホルダーに固定されることを条件に、無線通信により前記携帯電話と通信可能となり、前記ゲームコントローラは、前記変換決定ボタンが前記許可する信号を出力することを条件に、前記金銭的価値データを前記クレジット数データに変換することを特徴とする（１）記載のスロットマシン。
【０００８】
（２）記載のスロットマシンでは、携帯電話がホルダーに固定されることにより、無線通信により携帯電話と通信可能となり、変換決定ボタンが押圧操作されることにより、金銭的価値データをクレジット数データに変換する。
【０００９】
（３）  前記スロットマシンは、複数種類の金銭的価値ごとに複数の前記所定の変換率を記憶する変換率管理サーバと通信可能に接続され、前記ゲームコントローラは、前記変換率管理サーバから所定の時間間隔で複数の前記所定の変換率を示す複数の変換率データを受信し、受信した複数の前記変換率データを前記ディスプレイに表示し、前記ディスプレイに表示したことを条件に、前記クレジット数データの入力を受け付けることを特徴とする（１）記載のスロットマシン。
【００１０】
（３）記載のスロットマシンでは、通信可能に接続された変換率管理サーバから所定の時間間隔で複数の変換率データを受信し、受信した複数の変換率データをディスプレイに表示し、当該表示したことを条件に、クレジット数データの入力を受け付ける。
【００１１】
（４）  前記ゲームコントローラは、前記クレジット数データに変換する前記金銭的価値データの上限値の入力を受け付け、受信した前記金銭的価値データが前記上限値を超えないことを条件に、前記金銭的価値データを前記クレジット数データに変換することを特徴とする（１）記載のスロットマシン。
【００１２】
（４）記載のスロットマシンでは、クレジット数データに変換する金銭的価値データの上限値の入力を受け付け、受信した金銭的価値データが上限値を超えないことを条件に、金銭的価値データをクレジット数データに変換する。
【発明の効果】
【００１３】
本発明によれば、携帯電話とスロットマシンとの連係によって新たな利便性を高めるスロットマシンを提供することができる。
【発明を実施するための最良の形態】
【００１４】
図１は、本発明に係るスロットマシン１３とスロットマシン１３と接続される機器の構成を示すブロック図である。この図１において、スロットマシン１３にはネットワーク６００を介して、変換率管理サーバが接続されている。また、スロットマシン１３には無線送受信部１７１（図２参照）を介して、プレーヤの携帯電話３００が接続可能である。プレーヤの携帯電話３００の接続方法については後述する。
【００１５】
プレーヤの携帯電話３００は、クレジットを購入するための金銭的価値（電子マネー）をスロットマシン１３に送信する。プレーヤの携帯電話３００は、当該金銭的価値を記憶し、スロットマシン１３と無線通信を行うためのＩＣチップ（図示せず）を搭載している。
【００１６】
変換率管理サーバ５００は、スロットマシン１３において、金銭的価値をクレジットに変換するために使用される変換率テーブル（図１０参照）を記憶している。
【００１７】
各スロットマシン１３は、プレーヤがベーシックゲームを行うことが可能なスロットマシンである。また、スロットマシン１３は、プレーヤの携帯電話３００から金銭的価値を受信することにより、金銭的価値をクレジットに変換する。当該変換を行うために、変換率管理サーバ５００から、変換率テーブルを受信する。当該変換の方法については後述する。
【００１８】
このように、プレーヤは携帯電話に記憶された金銭的価値をスロットマシンに送信することにより、クレジットに変換してベーシックゲームを行うことができるため、手軽にクレジットを購入することができるので、ゲームの興趣が向上する。
【００１９】
図２は、本発明の実施の形態に係るスロットマシン１３を示す斜視図である。スロットマシン１３は、キャビネット２０及びメインドア４２を備えている。キャビネット２０は、プレーヤに臨む面が開放されている。このキャビネット２０内には、本スロットマシン１３を電気的にコントロールするためのコントローラ１００（図４及び図７参照）、並びにコイン（ゲーム媒体）の投入、貯留及び払出をコントロールするためのホッパー４４（図４及び図７参照）等を含む各種の構成部材が設けられている。ゲーム媒体としては、コインに限るものではなく、例えば、メダル、トークン、電子マネー又はこれらに相当する電子的な有価情報（クレジット）を挙げることができる。
【００２０】
メインドア４２は、キャビネット２０の内部が外側に露呈しないように覆うための部材であり、このメインドア４２の略中央には、液晶ディスプレイ３０が設けられている。
【００２１】
液晶ディスプレイ３０は、演出画像等を含むゲームに関する各種の画像を表示させるためのものである。プレーヤは、当該液晶ディスプレイ３０に表示された各種の画像を視認しながらゲームを進めていく。この液晶ディスプレイ３０は、透明液晶パネル３４（図５及び図６参照）を備えている。この透明液晶パネル３４は、その一部又は全部を透明／非透明の状態に切り替えることが可能であると共に、各種の画像を表示することが可能である。なお、液晶ディスプレイ３０の詳細な構成については後述する。
【００２２】
スロットマシン１３がビデオリールにより構成されている場合には、液晶ディスプレイ３０に５個の仮想リールを表示させる。なお、ビデオリールとは、メカニカルリールの代わりに、液晶ディスプレイ３０上に画像のリールを表示させるものである。ベーシックゲームに必要な複数種類のシンボルとして、「ＢＯＮＵＳ」、「ＷＩＬＤ」、「ＴＲＥＡＳＵＲＥ  ＢＯＸ」、「ＧＯＬＤＥＮ  ＭＡＳＫ」、「ＨＯＬＹ  ＣＵＰ」、「ＣＯＭＰＡＳＳ＆ＭＡＰ」、「ＳＮＡＫＥ」、「Ａ」、「Ｋ」、「Ｑ」、「Ｊ」、「１０」の各シンボルをリールが回転しているかのような画像と共に表示する。
【００２３】
一方、スロットマシン１３がメカニカルリールにより構成されている場合、液晶ディスプレイ３０の背面側には、各々の外周面に複数種類のシンボルが描かれた５個のメカニカルリール３Ａ、３Ｂ、３Ｃ、３Ｄ、３Ｅ（図３及び図５参照）が回転可能に横一列に設けられている。メカニカルリール３Ａ〜３Ｅは、後述するステッピングモータ４５Ａ、４５Ｂ、４５Ｃ、４５Ｄ、４５Ｅ（図７参照）等と共に複数のシンボルを表示するものとして構成するものである。その外周面には、前述のようなベーシックゲームに必要な複数種類のシンボルが描かれている。これらの各メカニカルリール３Ａ〜３Ｅの各種のシンボルは、透明液晶パネル３４が透明状態となった際に視認可能となる。
【００２４】
液晶ディスプレイ３０の下方には、略水平の操作部２１が設けられている。この操作部２１の右側には、スロットマシン１３内にコインを投入するためのコイン投入口２２が設けられている。他方、操作部２１の左側には、後述する９本の賞を付与するためのラインＬ１、Ｌ２、Ｌ３、Ｌ４、Ｌ５、Ｌ６、Ｌ７、Ｌ８、Ｌ９のいずれを有効化するかを決定し当該有効化された賞を付与するためのライン（以下、単に「ウィニングライン」という）に対して賭けるゲーム媒体としてのコインの枚数を選択するためのＢＥＴスイッチ２３、及び１つ前のゲームにおいて上記ウィニングラインに対して賭けたコインの枚数を変更せずに再びゲームを行うためのスピン・リピート・ベットスイッチ２４が設けられている。これらのＢＥＴスイッチ２３又はスピン・リピート・ベットスイッチ２４を押圧操作することで、当該操作に応じて上記ウィニングラインに対する賭けコインの枚数が決定される。
【００２５】
上記操作部２１において、ＢＥＴスイッチ２３の左側には、１ゲーム毎にプレーヤのベーシックゲームの開始操作を受け付けるスタートスイッチ２５が設けられている。このスタートスイッチ２５及びスピン・リピート・ベットスイッチ２４のうちのいずれか一方に対する押圧操作がゲームの開始のトリガーとなり、上記の５個のメカニカルリール３Ａ〜３Ｅの回転が開始される。
【００２６】
他方、上記操作部２１において、コイン投入口２２の近傍には、キャッシュアウトスイッチ２６が設けられている。プレーヤがキャッシュアウトスイッチ２６を押圧操作したときには、投入されているコインがメインドア４２の正面下部に開口されたコイン払出口２７から払出され、この払出されたコインは、コイントレイ２８に溜められる。このコイントレイ２８の上方であって、コイン払出口２７を挟んだ左右両側には、キャビネット２０の内部に収納されたスピーカ４１（図４及び図７参照）から発せられた効果音をキャビネット２０の外部へ伝播するための透音口２９が設けられている。
【００２７】
操作部２１の下方には、略垂直の接続部１２１が設けられている。この接続部１２１の右側には、ホルダー１７０が設けられている。このホルダー１７０は、プレーヤの携帯電話３００が固定されるように構成されており、プレーヤの携帯電話３００と無線通信が可能な送受信部１７１が備えられている。
【００２８】
プレーヤの携帯電話３００がホルダー１７０に固定されることにより、プレーヤの携帯電話３００とスロットマシン１３は、無線送受信部１７１を介して接続される。プレーヤの携帯電話３００は、無線送受信部１７１とは接触させる必要はなく、通信可能な所定の距離を保って固定されていればよい。また、無線送受信部１７１には、プレーヤの携帯電話３００に搭載されたＩＣチップ（図示せず）に情報を送受信するためのＩＣカードリーダー／ライター（図示せず）が備えられている。通信は、当該ＩＣカードリーダー／ライターにより発信される電磁波によって行われる。
【００２９】
図３は、スロットマシン１３の表示領域を拡大して示すものである。スロットマシン１３の液晶ディスプレイ３０は、正面パネル３１及びこの正面パネル３１の裏面に設けられた透明液晶パネル３４（図５及び図６参照）を備えている。正面パネル３１は、透明な表示面３１ａ及び絵柄が形成された絵柄形成領域３１ｂを含んで構成される。正面パネル３１の裏面に設けられた透明液晶パネル３４に表示された画像情報は、当該正面パネル３１の表示面３１ａを介して視認することができる。他方、上記透明液晶パネル３４の領域が透明状態であるときには、透明液晶パネル３４の後方に配設される５個のメカニカルリール３Ａ〜３Ｅ各々のシンボルを、表示面３１ａを介して、視認することができる。なお、スロットマシン１３がビデオリールで構成される場合には、透明液晶パネル３４を非透明状態にして画像のリールを表示させてもよいし、透明液晶パネル３４ではなく、単なる液晶パネルを使用してもよい。
【００３０】
液晶ディスプレイ３０の左側の背面側には、ペイアウト数表示部４８、クレジット数表示部４９及びＢＥＴ数表示部５０の各種の表示部が設けられている。なお、正面パネル３１の絵柄形成領域３１ｂは、上記各種表示部４８〜５０の前方を覆う部分が透明であり、当該各種表示部４８〜５０の表示内容が視認可能である。
【００３１】
本スロットマシン１３は、図３に示すように９本の賞を付与するためのラインＬ１〜Ｌ９を有している。これらの各賞を付与するためのラインＬ１〜Ｌ９は、全てのメカニカルリール３Ａ〜３Ｅの回転が停止したときに、又は、５個のビデオリールが停止したときに、各メカニカルリール３Ａ〜３Ｅの１つのシンボルを通過するように延びている。
【００３２】
上記のＢＥＴスイッチ２３を１回押すと、例えば、第３の賞を付与するためのラインＬ３、第５の賞を付与するためのラインＬ５及び第７の賞を付与するためのラインＬ７が有効化されると共に１枚のコインがクレジットメダルとして取り込まれる。
【００３３】
上記のＢＥＴスイッチ２３を２回押すと、上記の３ラインに加えて、例えば、第１の賞を付与するためのラインＬ１、第４の賞を付与するためのラインＬ４及び第８の賞を付与するためのラインＬ８が有効化されると共に２枚のコインがクレジットメダルとして取り込まれる。
【００３４】
上記のＢＥＴスイッチ２３を３回押すと、上記の６ラインに加えて、例えば、第２の賞を付与するためのラインＬ２、第６の賞を付与するためのラインＬ６及び第９の賞を付与するためのラインＬ９が有効化されると共に３枚のコインがクレジットメダルとして取り込まれる。
【００３５】
ペイアウト数表示部４８は、ウィニングラインに沿って賞を付与するためのコンビネーションが成立した時のコインのペイアウト数を表示するためのものである。クレジット数表示部４９は、本スロットマシン１３にストアーされているコインのクレジット数を表示するためのものである。ＢＥＴ数表示部５０は、上記ウィニングラインに対する賭けコインの枚数であるＢＥＴ数を表示するためのものである。当該各種表示部４８〜５０は、７セグメント表示器を含んで構成される。代替的に、各種表示部４８〜５０を透明液晶パネル３４上に画像表示するようにしても構わない。
【００３６】
図４は、ビデオリールを有するスロットマシン１３のコントローラ１００の電気的構成を示すブロック図である。なお、メカニカルリールを有するスロットマシン１３については後述の図７に示す。図４に示すように、スロットマシン１３のコントローラ１００は、マイクロコンピュータであって、インターフェイス回路群１０２、入出力バス１０４、ＣＰＵ１０６、ＲＯＭ１０８、ＲＡＭ１１０、通信用インターフェイス回路１１１、乱数発生器１１２、スピーカ駆動回路１２２、ホッパー駆動回路１２４、表示部駆動回路１２８及び表示／入力コントローラ１４０を備えている。
【００３７】
インターフェイス回路群１０２は、入出力バス１０４に接続されており、この入出力バス１０４は、ＣＰＵ１０６に対するデータ信号又はアドレス信号の入出力を行う。
【００３８】
インターフェイス回路群１０２には、スタートスイッチ２５が接続されている。このスタートスイッチ２５から出力された始動信号は、インターフェイス回路群１０２において所定の信号に変換された後、入出力バス１０４に供給される。
【００３９】
インターフェイス回路群１０２には、ＢＥＴスイッチ２３、スピン・リピート・ベットスイッチ２４及びキャッシュアウトスイッチ２６も接続されている。これらのスイッチ２３、２４、２６から出力された各スイッチング信号も、インターフェイス回路群１０２に供給され、当該インターフェイス回路群１０２によって所定の信号に変換された後、入出力バス１０４に供給される。
【００４０】
インターフェイス回路群１０２には、コインセンサ４３も接続されている。コインセンサ４３は、コイン投入口２２に投入されたコインを検出するためのセンサであって、コイン投入口２２に関連して設けられている。このコインセンサ４３から出力されたセンシング信号も、インターフェイス回路群１０２に供給され、当該インターフェイス回路群１０２によって所定の信号に変換された後、入出力バス１０４に供給される。
【００４１】
インターフェイス回路群１０２には、無線送受信部１７１も接続されている。無線送受信部１７１はホルダー１７０に備えられ、プレーヤの携帯電話３００とデータの送受信を行う。
【００４２】
入出力バス１０４には、ＲＯＭ１０８及びＲＡＭ１１０が接続されている。
【００４３】
ＣＰＵ１０６は、スタートスイッチ２５によりベーシックゲームのスタート操作が受け付けられたことを契機として、ベーシックゲームプログラムを読み出してベーシックゲームを実行する。ベーシックゲームプログラムは、表示／入力コントローラ１４０を介して液晶ディスプレイ３０に５個のビデオリールのシンボルのスクロールを開始させる表示を行い、その後５個のビデオリールを停止させる表示を行うことによって５個のビデオリールのシンボルの再配置をさせ、そのときの停止したシンボルのコンビネーションがウィニングラインに示されており、かつ、賞を付与する特定のコンビネーションを示す場合には、その賞を付与する特定のコンビネーションに応じたコインを払い出すようにプログラミングされている。
【００４４】
ＲＯＭ１０８には、本スロットマシン１３を統括してコントロールするコントロールプログラム、図９Ａ及び図９Ｂに示すルーチンを実行するためのプログラム（以下、「ルーチン実行プログラム」とする）、コントロールプログラムを実行するための初期データ、及び決定処理において使用される種々のデータテーブルが格納されている。なお、ルーチン実行プログラムには、上記ベーシックゲームプログラム等が含まれている。また、データテーブルとしては、図１０に示すテーブル等を挙げることができる。ＲＡＭ１１０は、上記コントロールプログラムで使用するフラグや変数の値等を一時的に記憶する。
【００４５】
入出力バス１０４には、通信用インターフェイス回路１１１も接続されている。この通信用インターフェイス回路１１１は、ＬＡＮの各種のネットワーク網を含むネットワーク６００を介して、変換率管理サーバ５００との通信をするための回路である。本実施形態では、ＣＰＵ１０６は、この通信用インターフェイス回路１１１を経由して、変換率管理サーバ５００から変換率テーブル（図１０参照）を受信する。
【００４６】
入出力バス１０４には、乱数を発生するための乱数発生器１１２も接続されている。この乱数発生器１１２は、一定の範囲の数値、例えば、「０」〜「６５５３５（２の１６乗−１）」に含まれる乱数を発生する。代替的に、ＣＰＵ１０６の演算処理により乱数を発するように構成しても構わない。
【００４７】
入出力バス１０４には、上記各種表示部４８〜５０を駆動するための表示部駆動回路１２８も接続されている。ＣＰＵ１０６は、所定の事象が発生することに応じて、表示部駆動回路１２８を介して、上記各種表示部４８〜５０の動作をコントロールする。
【００４８】
入出力バス１０４には、スピーカ４１を駆動するためのスピーカ駆動回路１２２も接続されている。ＣＰＵ１０６は、ＲＯＭ１０８に記憶されている音データを読み出し、入出力バス１０４を介して、当該読み出した音データをスピーカ駆動回路１２２に送信する。これにより、スピーカ４１から所定の効果音が発せられる。
【００４９】
入出力バス１０４には、ホッパー４４を駆動するためのホッパー駆動回路１２４も接続されている。ＣＰＵ１０６は、キャッシュアウトスイッチ２６からのキャッシュアウト信号が入力されると、入出力バス１０４を介して、駆動信号をホッパー駆動回路１２４に出力する。これにより、ホッパー４４は、ＲＡＭ１１０の所定のメモリ領域に記憶されたその時点におけるクレジットの残数分に相当するコインを払い出す。
【００５０】
入出力バス１０４には、表示／入力コントローラ１４０も接続されている。ＣＰＵ１０６は、ゲームの状態及びゲームの結果に応じた画像表示命令を生成し、入出力バス１０４を介して、当該生成した画像表示命令を表示／入力コントローラ１４０に出力する。ＣＰＵ１０６からの画像表示命令が入力されると、表示／入力コントローラ１４０は、当該入力された画像表示命令に基づき液晶ディスプレイ３０を駆動するための駆動信号を生成し、この生成した駆動信号を液晶ディスプレイ３０に出力する。これにより、液晶ディスプレイ３０の透明液晶パネル３４上には、所定の画像が表示される。表示／入力コントローラ１４０は、液晶ディスプレイ３０上のタッチパネル３２が入力を受けた信号を入力信号として、入出力バス１０４を介してＣＰＵ１０６に送信する。
【００５１】
図５及び図６は、スロットマシン１３の液晶ディスプレイ３０の構成を示すための図である。液晶ディスプレイ３０は、ベーシックゲームに関するゲーム画像を表示する。それゆえ、この液晶ディスプレイ３０は、タッチパネル３２及び表示板３３を備えた正面パネル３１、透明液晶パネル３４、導光板３５、反射フィルム３６、いわゆる白色光源である蛍光ランプ３７ａ、３７ｂ及び３８ａ、３８ｂ、ランプホルダ３９ａ、３９ｂ、３９ｃ、３９ｄ、３９ｅ、３９ｆ、３９ｇ、３９ｈ並びに透明液晶パネル駆動用のＩＣを搭載したテーブルキャリアパッケージ（ＴＣＰ）から成る。なお、ＴＣＰは、図５及び図６において特に図示していないが、透明液晶パネル３４の端子部に接続したフレキシブル基板（図示せず）等により構成される。
【００５２】
液晶ディスプレイ３０は、メカニカルリール３Ａ〜３Ｅの表示領域より手前側（表示面３１ａより手前側）に、当該メカニカルリール３Ａ〜３Ｅを跨いで設けられている。これらメカニカルリール３Ａ〜３Ｅ及び液晶ディスプレイ３０同士は、所定の間隔を空けて設けられている。なお、ビデオリールの場合には、メカニカルリール３Ａ〜３Ｅの代わりに、液晶ディスプレイ３０上に画像のリールを表示する。
【００５３】
タッチパネル３２は、透明な部材で構成されている。表示板３３は、透明な部材で構成され、この表示板３３には、上記の各種表示部４８〜５０との間の領域に対応する位置等に絵柄等が形成されている。すなわち、表示板３３の絵柄等が形成されている領域が、正面パネル３１における絵柄形成領域３１ｂであり、他方、表示板３３の絵柄等が形成されていない領域が、正面パネル３１における表示面３１ａである（図３参照）。代替的に、正面パネル３１に絵柄形成領域３１ｂを形成せず、正面パネル３１の全面を表示面３１ａとしても構わない。この場合、表示板３３に絵柄を形成しないか或いは表示板３３を省略すればよい。
【００５４】
なお、図５及び図６においては、表示板３３の裏面側に配置された各種表示部４８〜５０を動作させる電気回路等は、図示していない旨を念のため言及しておく。
【００５５】
透明液晶パネル３４は、薄膜トランジスタ層が形成されたガラス板等の透明な基板と、これに対向する透明な基板との間隙部に液晶が封入されることによって形成されている。この透明液晶パネル３４の表示モードは、ノーマリーホワイトに設定されている。ノーマリーホワイトとは、液晶を駆動していない状態で白表示（表示面側に透過した光が外部より視認可能である）となることをいう。このように、ノーマリーホワイトに設定された透明液晶パネル３４を採用することにより、液晶を駆動することができない事態が生じた場合であっても、メカニカルリール３Ａ〜３Ｅ各々のシンボルの変動表示及び停止表示を視認することができるので、プレーヤは、ゲームを継続することができる。すなわち、上記のような事態が発生した場合でも、各メカニカルリール３Ａ〜３Ｅのシンボルの再配置を中心としたゲームを行うことができる。
【００５６】
導光板３５は、蛍光ランプ３７ａ、３７ｂからの光を透明液晶パネル３４へ導き出す（換言すると、透明液晶パネル３４を照明する）ためのものであり、透明液晶パネル３４の裏側に設けられ、例えば、２ｃｍ程度の厚さを有するアクリル系樹脂等の透明部材（導光機能を有する）で構成されている。
【００５７】
反射フィルム３６は、例えば、白色のポリエステルフィルムやアルミニウム薄膜に銀蒸着膜を形成したものが用いられ、導光板３５に導入された光を導光板３５の正面側へ向けて反射させる。この反射フィルム３６は、反射領域３６Ａ及び非反射領域（透過領域）３６Ｂにより構成されている。非反射領域３６Ｂは、透明な材料で形成され、正面パネル３１のメカニカルリール３Ａ〜３Ｅの前方を覆う部分を含む領域に設けられている。
【００５８】
蛍光ランプ３７ａ及び３７ｂは、導光板３５の上端部及び下端部に沿って配置され、その両端は、ランプホルダ３９ａ、３９ｂ及び３９ｇ、３９ｈにより支持されている。これらの蛍光ランプ３７ａ、３７ｂから照射される光は、反射フィルム３６の反射領域３６Ａで反射して透明液晶パネル３４を照明する。他方、蛍光ランプ３８ａ及び３８ｂは、反射フィルム３６の裏側の上方位置及び下方位置においてメカニカルリール３Ａ〜３Ｅに向かって配置され、その両端は、ランプホルダ３９ｃ、３９ｄ及び３９ｅ、３９ｆにより支持されている。これらの蛍光ランプ３８ａ、３８ｂから出てメカニカルリール３Ａ〜３Ｅの表面で反射して非反射領域３６Ｂへ入射した光は、透明液晶パネル３４を照明する。このように、液晶ディスプレイ３０においては、蛍光ランプ３７ａ、３７ｂから照射され、かつ、更に反射フィルム３６の反射領域３６Ａで反射した光、並びに蛍光ランプ３８ａ、３８ｂから照射され、かつ、更にメカニカルリール３Ａ〜３Ｅの表面で反射して非反射領域３６Ｂへ入射した光が、透明液晶パネル３４を照明する。従って、反射フィルム３６の非反射領域３６Ｂに対応する液晶ディスプレイ３０の領域は、液晶を駆動しているか否かによって、透明／非透明の状態に切り替わる領域であり、他方、反射フィルム３６の反射領域３６Ａに対応する液晶ディスプレイ３０の領域は、液晶を駆動しているか否かに拘わらず非透明状態となる。
【００５９】
本スロットマシン１３では、液晶ディスプレイ３０の表示面の一部領域のみを透明／非透明の状態に切り替わる領域としているが、液晶ディスプレイ３０の表示画面の全領域が透明／非透明の状態に切り替わる領域としても構わない。このように、液晶ディスプレイ３０の全領域を透過状態又は非透過状態に切り替わる領域とする場合には、反射フィルム３６を全て非反射領域３６Ｂとするか或いは反射フィルム３６を省略すればよい。
【００６０】
図７は、メカニカルリールのスロットマシン１３のコントローラ１００の電気的構成を示すブロック図である。図７に示すように、スロットマシン１３のコントローラ１００は、マイクロコンピュータであって、インターフェイス回路群１０２、入出力バス１０４、ＣＰＵ１０６、ＲＯＭ１０８、ＲＡＭ１１０、通信用インターフェイス回路１１１、乱数発生器１１２、モータ駆動回路１２０、スピーカ駆動回路１２２、ホッパー駆動回路１２４、表示部駆動回路１２８及び表示／入力コントローラ１４０を備えている。なお、図４で説明したビデオリールの場合との構成は一部を除き同じであるため、ここでは、図４で説明したビデオリールの場合と異なる部分のみを説明することとする。
【００６１】
インターフェイス回路群１０２には、リール位置検出回路４６が接続されている。リール位置検出回路４６は、リール回転位置センサ（図示せず）からのパルス信号に基づいて、各メカニカルリール３Ａ〜３Ｅの回転位置を検出するための回路であって、このリール位置検出回路４６からの検出信号も、インターフェイス回路群１０２に供給され、当該インターフェイス回路群１０２によって所定の信号に変換された後、入出力バス１０４に供給される。
【００６２】
ＣＰＵ１０６は、スタートスイッチ２５によりベーシックゲームのスタート操作が受け付けられたことを契機として、ベーシックゲームプログラムを読み出してベーシックゲームを実行する。ベーシックゲームプログラムは、ステッピングモータ４５Ａ〜４５Ｅ各々を駆動させて全てのメカニカルリール３Ａ〜３Ｅを回転させることによって当該リール３Ａ〜３Ｅのシンボルのスクロールを開始させ、その後にステッピングモータ４５Ａ〜４５Ｅ各々の駆動を停止させて全てのメカニカルリール３Ａ〜３Ｅの回転を停止させることによって当該リール３Ａ〜３Ｅのシンボルの再配置をさせ、そのときの停止したシンボルのコンビネーションがウィニングラインに示されており、かつ、賞を付与する特定のコンビネーションを示す場合には、その賞を付与する特定のコンビネーションに応じたコインを払い出すようにプログラミングされている。
【００６３】
また、ＣＰＵ１０６は、セカンドゲームのコントロールも行う。それゆえ、このＣＰＵ１０６は、全てのメカニカルリール３Ａ〜３Ｅのシンボルが停止表示された際に所定の条件を満たすと、セカンドゲームを実行するための信号を送信する。
【００６４】
入出力バス１０４には、ステッピングモータ４５Ａ〜４５Ｅを駆動するためのモータ駆動回路１２０も接続されている。ＣＰＵ１０６は、所定の事象が発生することに応じて、モータ駆動回路１２０を介して、ステッピングモータ４５Ａ〜４５Ｅの動作をコントロールする。
【００６５】
図８は、スロットマシン１３の表示／入力コントローラ１４０の電気的構成を示すブロック図である。スロットマシン１３の表示／入力コントローラ１４０は、画像表示処理及びタッチパネル３２からの入力コントロールを行うサブマイクロコンピュータであって、インターフェイス回路１４２、入出力バス１４４、ＣＰＵ１４６、ＲＯＭ１４８、ＲＡＭ１５０、ＶＤＰ１５２、ビデオＲＡＭ１５４、画像データ用ＲＯＭ１５６、駆動回路１５８及びタッチパネルコントロール回路１６０を備えている。
【００６６】
インターフェイス回路１４２は、入出力バス１４４に接続されている。上記コントローラ１００側のＣＰＵ１０６から出力された画像表示命令は、インターフェイス回路１４２を介して入出力バス１４４に供給される。この入出力バス１４４は、ＣＰＵ１４６に対するデータ信号又はアドレス信号の入出力を行う。
【００６７】
入出力バス１４４には、ＲＯＭ１４８及びＲＡＭ１５０が接続されている。ＲＯＭ１４８には、上記コントローラ１００側のＣＰＵ１０６からの画像表示命令に基づいて、液晶ディスプレイ３０に供給する駆動信号を生成するための表示コントロールプログラムが格納されている。他方、ＲＡＭ１５０には、上記表示コントロールプログラムで使用するフラグや変数の値が格納されている。
【００６８】
入出力バス１４４には、ＶＤＰ１５２も接続されている。このＶＤＰ１５２は、いわゆるスプライト回路、スクリーン回路及びパレット回路等を含み、液晶ディスプレイ３０に画像を表示させるための種々の処理を行うことができる処理装置である。ＶＤＰ１５２には、上記コントローラ１００側のＣＰＵ１０６からの画像表示命令に応じた画像データを記憶するためのビデオＲＡＭ１５４、及び上記の演出画像データ等を含む各種の画像データを記憶している画像データ用ＲＯＭ１５６が接続されている。更に、ＶＤＰ１５２には、液晶ディスプレイ３０を駆動するための駆動信号を出力する駆動回路１５８も接続されている。
【００６９】
上記ＣＰＵ１４６は、ＲＯＭ１４８に記憶されている表示コントロールプログラムを読み出して実行することにより、上記コントローラ１００側のＣＰＵ１０６からの画像表示命令に応じて液晶ディスプレイ３０に表示する画像データをビデオＲＡＭ１５４に記憶させる。この画像表示命令には、上記演出画像の表示命令等を含む各種の画像表示命令が含まれている。
【００７０】
画像データ用ＲＯＭ１５６は、上記演出画像のデータ等を含む各種の画像データを記憶している。
【００７１】
タッチパネルコントロール回路１６０は、液晶ディスプレイ３０上のタッチパネル３２が入力を受けた信号を入力信号として、入出力バス１４４を介してＣＰＵ１０６に送信する。
【００７２】
図９Ａ及び図９Ｂは、スロットマシン１３のコントローラ１００によって実行される、金銭的価値をクレジットに変換するまでの一連の処理を示したフローチャートである。
【００７３】
ステップＳ１において、ＣＰＵ１０６は、変換率テーブル（図１０参照）を変換率管理サーバ５００から受信し、処理をステップＳ２に移す。具体的には、変換率テーブル（図１０参照）を受信して、ＲＡＭ１１０に記憶する。
【００７４】
ステップＳ２において、ＣＰＵ１０６は、所定時間が経過したか否かを判断し、所定時間が経過している場合には、処理をステップＳ１に移し、所定時間が経過していない場合には、処理をステップＳ３に移す。
【００７５】
ステップＳ３において、ＣＰＵ１０６は、ホルダー１７０にプレーヤの携帯電話３００が固定されたか否かを判断し、固定されている場合には、処理をステップＳ４に移し、固定されていない場合には、処理をステップＳ２に移す。具体的には、ＣＰＵ１０６は、ホルダー１７０に備えられた無線送受信部１７１とプレーヤの携帯電話３００との距離が無線通信可能な距離以下であるか否かを判断する。本実施例では、プレーヤの携帯電話３００がホルダー１７０に固定されれば、当該距離は無線通信可能な距離となる。
【００７６】
ステップＳ４において、ＣＰＵ１０６は、通貨選択画面（図１１参照）を表示して、処理をステップＳ５に移す。
【００７７】
ステップＳ５において、ＣＰＵ１０６は、通貨が選択されたか否かを判断し、選択された場合には、処理をステップＳ６移し、選択されていない場合には、処理をステップＳ５に移す。具体的には、通貨選択画面（図１１参照）において、手２００により、液晶ディスプレイ３０上に備えられた通貨種別ボタン２０１の押圧操作があったか否かを判断する。
【００７８】
ステップＳ６において、ＣＰＵ１０６は、変換上限値入力画面（図１２参照）を表示し、処理をステップＳ７に移す。
【００７９】
ステップＳ７において、ＣＰＵ１０６は、変換上限値の入力を受け付け、処理をステップＳ８に移す。具体的には、変換上限値入力画面（図１２参照）において、手２００により、液晶ディスプレイ３０上に備えられたテンキー２０２が押圧操作されることにより、変換上限値の入力を受け付ける。
【００８０】
ステップＳ８において、ＣＰＵ１０６は、変換上限値が決定されたか否かを判断し、決定された場合には、処理をステップＳ９に移し、決定されていない場合には、処理をステップＳ７に移す。具体的には、変換上限値入力画面（図１２参照）において、手２００により、液晶ディスプレイ３０上に備えられた決定ボタン２０４の押圧操作があったか否かを判断する。決定ボタン２０４の押圧操作があった場合には、入力された変換上限値をＲＡＭ１１０に記憶する。
【００８１】
ステップＳ９において、ＣＰＵ１０６は、クレジット数入力画面（図１３参照）を表示し、処理をステップＳ１０に移す。
【００８２】
ステップＳ１０において、クレジット数の入力を受け付け、処理をステップＳ１１に移す。具体的には、クレジット数入力画面（図１３参照）において、手２００により、液晶ディスプレイ３０上に備えられたテンキー２０２が押圧操作されることにより、クレジット数の入力を受け付ける。
【００８３】
ステップＳ１１において、ＣＰＵ１０６は、変換決定ボタンの押圧操作があったか否かを判断し、押圧操作があった場合には、処理をステップＳ１２に移し、押圧操作がなかった場合には、処理をステップＳ１０に移す。具体的には、クレジット数入力画面（図１３参照）において、手２００により、液晶ディスプレイ３０上に備えられた変換決定ボタン２０５の押圧操作があったか否かを判断する。変換決定ボタン２０５の押圧操作があった場合には、クレジット数が決定され、入力されたクレジット数をＲＡＭ１１０に記憶する。
【００８４】
ステップＳ１２において、ＣＰＵ１０６は、決定されたクレジット数の金額を示す金銭的価値を算出し、処理をステップＳ１３に移す。具体的には、ステップＳ１においてＲＡＭ１１０に記憶された変換率テーブル（図１０参照）を参照することにより、ステップＳ１１においてＲＡＭ１１０に記憶されたクレジット数を金銭的価値に変換する。例えば、図１０に示す変換率テーブルには、１クレジットあたりの金銭的価値が格納されているが通貨種別「円」の１クレジットあたりの金銭的価値は１００円であるので、決定されたクレジット数が「１００」である場合には、金銭的価値は「１００００円」となる。ＣＰＵ１０６は、算出された金銭的価値を示す金銭的価値データをＲＡＭ１１０に格納する。
【００８５】
ステップＳ１３において、ＣＰＵ１０６は、算出された金銭的価値が変換上限値以下であるか否かを判断し、変換上限値以下である場合には、処理をステップＳ１４に移し、変換上限値を超える場合には、処理をステップＳ１０に移す。具体的には、ステップＳ１２においてＲＡＭ１１０に格納された金銭的価値データと、ステップＳ８においてＲＡＭ１１０に記憶された変換上限値と、を比較することにより判断する。
【００８６】
ステップＳ１４において、ＣＰＵ１０６は、ステップＳ１２において算出された金銭的価値を示す金銭的価値データの送信要求を行い、処理をステップＳ１５に移す。具体的には、当該金銭的価値データを無線送受信部１７１を介してプレーヤの携帯電話３００に送信する。
【００８７】
ステップＳ１５において、ＣＰＵ１０６は、金銭的価値データを受信し、処理をステップＳ１６に移す。具体的には、送信要求を行った金銭的価値データをプレーヤの携帯電話３００から無線送受信部１７１を介して受信し、当該金銭的価値データをＲＡＭ１１０に格納する。
【００８８】
ステップＳ１６において、ＣＰＵ１０６は、受信した金銭的価値データをクレジット数データに変換する。具体的には、ステップＳ１においてＲＡＭ１１０に記憶された変換率テーブル（図１０参照）を参照することにより、ステップＳ１５においてＲＡＭ１１０に記憶された金銭的価値データをクレジット数データに変換する。例えば、図１０に示す変換率テーブルには、１クレジットあたりの金銭的価値が格納されているが通貨種別「円」の１クレジットあたりの金銭的価値は１００円であるので、当該金銭的価値データが「１００００円」である場合には、クレジット数データは「１００」となる。ＣＰＵ１０６は、変換されたクレジット数データをＲＡＭ１１０に格納し、変換されたクレジット数データをＲＡＭ１１０に既に記憶されているクレジット数データに加算してクレジット数表示部４９に表示する。その後、ＣＰＵ１０６は、本処理を終了する。
【００８９】
図１０に示す変換率テーブルは、１クレジットあたりの金銭的価値を通貨種別ごとに格納しているテーブルである。例えば、「円」の場合、１クレジットに必要な金銭的価値は「１００円」である。
【００９０】
ＣＰＵ１０６は、この変換率テーブルを参照して、入力を受け付けたクレジット数を示すデータを金銭的価値データに変換する。また、ＣＰＵ１０６は、この変換率テーブルを参照して、プレーヤの携帯電話３００から受信した金銭的価値データを、クレジット数データに変換する。
【００９１】
この変換率テーブルは、変換率管理サーバ５００に記憶されており、通貨種別ごとに変換率が時間とともに変化する。当該変換率は、リアルタイムに変化する為替レートに基づいて定められる。例えば、「円」について１クレジットあたりの金銭的価値が「１００円」の場合には、変換率管理サーバ５００において、現在の為替レートに基づいて「ドル」、「ユーロ」等の１クレジットあたりの金銭的価値が定められる。具体的には、「ドル」について現在の為替レートが１ドル１１７円の場合には、１００円あたり０．８５ドルとなる。
【００９２】
これにより、現在の為替レートが変換率テーブルに反映され、ＣＰＵ１０６は、所定の時間ごとにこの変換率テーブルを変換率管理サーバ５００から受信し、ＲＡＭ１１０に記憶する。
【００９３】
したがって、スロットマシン１３においても、現在の為替レートが反映された変換テーブルを用いてクレジットを購入することができる。
【００９４】
なお、変換率管理サーバは５００は、リアルタイムに変化する為替レートを所定のサーバ（図示せず）から受信して、記憶している。
【００９５】
さらに、ＣＰＵ１０６は、特定の通貨種別の１クレジットあたりの金銭的価値を変化させることにより、為替レートにより変換率を変化させることとは異なる方法で、当該変換率を変化させることができる。
【００９６】
例えば、ＣＰＵ１０６は、「円」（特定の通貨種別）について１クレジットあたりの金銭的価値を「１００円」から「１１０円」に変化させることによって、「１１０円」に対応する「ドル」、「ユーロ」等を現在の為替レートに基づいて変換する。
【００９７】
なお、ＣＰＵ１０６は、リアルタイムに変化する為替レートを所定のサーバ（図示せず）から受信して、ＲＡＭ１１０に記憶する。
【００９８】
図１１は、プレーヤが、クレジットに変換させる金銭的価値の通貨種別を選択する、通貨選択画面である。この通貨選択画面は液晶ディスプレイ３０上に表示され、変換率テーブルに格納された通貨種別ごとに、通貨種別と１クレジットあたりの金銭的価値が表示される。プレーヤは、手２００により通貨種別ボタン２０１を押圧操作することにより、クレジットに変換させる金銭的価値の通貨種別を選択することができる。
【００９９】
このように、通貨選択画面に表示された通貨種別ごとの１クレジットあたりの金銭的価値をプレーヤが見ることにより、どの通貨でクレジットに変換するかを判断することができる。
【０１００】
図１２は、プレーヤが、クレジットに変換させる金銭的価値の上限値を入力するための変換上限値入力画面である。この変換上限値入力画面は液晶ディスプレイ３０上に表示され、プレーヤは、手２００によりテンキー２０２を押圧操作することにより変換上限値を入力し、決定ボタン２０４を押圧操作することにより変換上限値を決定することができる。
【０１０１】
なお、プレーヤは、手２００によりクリアボタン２０３を押圧操作することにより、入力した変換上限値をクリアすることができる。
【０１０２】
図１３は、プレーヤが、クレジット数を入力するためのクレジット数入力画面である。このクレジット数入力画面は液晶ディスプレイ３０上に表示され、プレーヤは、手２００によりテンキー２０２を押圧操作することによりクレジット数を入力し、変換決定ボタン２０５を押圧操作することによりクレジット数を決定することができる。
【０１０３】
なお、プレーヤは、手２００によりクリアボタン２０３を押圧操作することにより、入力したクレジット数をクリアすることができる。
【０１０４】
このように、本実施形態では、プレーヤは携帯電話に記憶された金銭的価値をスロットマシンに送信することにより、クレジットに変換してベーシックゲームを行うことができるため、手軽にクレジットを購入することができるので、ゲームの興趣が向上する。
【０１０５】
また、携帯電話とスロットマシンとの送受信を非接触方式のＩＣカード（ＩＣチップ）を用いて行うことにより、通信速度が携帯電話回線網を介して通信する場合に比べて格段に早くなるため、クレジットの購入を簡単に行うことができるので、ゲームの興趣が向上する。
【０１０６】
さらに、リアルタイムに変化する為替レートを反映させて、金銭的価値をクレジットに変換することができるため、どの通貨種別を選択してクレジットを購入するか選択の幅が広がるので、ゲームの興趣が向上する。
【０１０７】
さらにまた、クレジットに変換する金銭的価値の上限値を入力できるため、クレジットを購入する際に、金銭的価値が当該上限値を超えてクレジットに変換されることがなくなるので、プレーヤは安心してゲームを行うことができる。
【０１０８】
以上、本発明に係るゲームシステムの実施形態を説明したが、具体例を例示したにすぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【０１０９】
例えば、プレーヤの携帯電話３００とスロットマシン１３のデータの送受信を携帯電話回線網（図示せず）を介して行ってもよいし、スロットマシン１３に外部接続端子（図示せず）を設けて、プレーヤの携帯電話３００と接続させてもよい。
【０１１０】
さらに、プレーヤの携帯電話３００とスロットマシン１３とで直接データの送受信を行うのではなく、両替サーバ（図示せず）をスロットマシン１３とネットワーク６００を介して接続し、プレーヤの携帯電話３００とは携帯電話回線網（図示せず）を介して接続して、この両替サーバにおいて、金銭的価値をクレジット数に変換する処理を行うことにしてもよい。
【図面の簡単な説明】
【０１１１】
【図１】スロットマシンとスロットマシンと接続される機器の構成を示すブロック図。
【図２】スロットマシンを示す斜視図。
【図３】スロットマシンの表示領域を拡大して示す拡大正面図。
【図４】ビデオリールスロットマシンのコントローラの電気的構成を示すブロック図。
【図５】スロットマシンの液晶ディスプレイの概略構成を背面側から観た状態で示す斜視図。
【図６】図５に示した液晶ディスプレイの一部の構成を示す分解斜視図。
【図７】メカニカルリールスロットマシンのコントローラの電気的構成を示すブロック図。
【図８】スロットマシンの表示／入力コントローラの電気的構成を示すブロック図。
【図９Ａ】スロットマシンにおける処理動作の流れを示すフローチャート。
【図９Ｂ】スロットマシンにおける処理動作の流れを示すフローチャート。
【図１０】変換率テーブルの構成を示す図。
【図１１】通貨選択画面を示す図。
【図１２】変換上限値入力画面を示す図。
【図１３】クレジット数入力画面を示す図。
【符号の説明】
【０１１２】
３Ａ、３Ｂ、３Ｃ、３Ｄ、３Ｅ  メカニカルリール
１３  スロットマシン
２０  キャビネット
２１  操作部
２２  コイン投入口
２３  スイッチ
２４  ベットスイッチ
２５  スタートスイッチ
２６  キャッシュアウトスイッチ
２７  コイン払出口
２８  コイントレイ
２９  透音口
３０  液晶ディスプレイ
３１  正面パネル
３１ａ  表示面
３１ｂ  絵柄形成領域
３２  タッチパネル
３３  表示板
３４  透明液晶パネル
３５  導光板
３６  反射フィルム
３６Ａ  反射領域
３６Ｂ  非反射領域
３７ａ、３７ｂ、３８ａ、３８ｂ  蛍光ランプ
３９ａ、３９ｂ、３９ｃ、３９ｄ、３９ｅ、３９ｆ、３９ｇ、３９ｈ  ランプホルダ
４１  スピーカ
４２  メインドア
４３  コインセンサ
４４  ホッパー
４５Ａ、４５Ｂ、４５Ｃ、４５Ｄ、４５Ｅ  ステッピングモータ
４６  リール位置検出回路
４８  ペイアウト数表示部
４９  クレジット数表示部
５０  ＢＥＴ数表示部
１００  コントローラ
１０２  インターフェイス回路群
１０４  入出力バス
１０６  ＣＰＵ
１０８  ＲＯＭ
１１０  ＲＡＭ
１１１  通信用インターフェイス回路
１１２  乱数発生器
１２０  モータ駆動回路
１２１  接続部
１２２  スピーカ駆動回路
１２４  ホッパー駆動回路
１２８  表示部駆動回路
１４０  入力コントローラ
１４２  インターフェイス回路
１４４  入出力バス
１４６  ＣＰＵ
１４８  ＲＯＭ
１５０  ＲＡＭ
１５４  ビデオＲＡＭ
１５６  画像データ用ＲＯＭ
１５８  駆動回路
１６０  タッチパネルコントロール回路
１７０  ホルダー
１７１  無線送受信部
２００  手
２０１  通貨種別ボタン
２０２  テンキー
２０３  クリアボタン
２０４  決定ボタン
２０５  変換決定ボタン
３００  携帯電話
５００  変換率管理サーバ
６００  ネットワーク
【図１】
2008062047.tif 000003
【図２】
2008062047.tif 000004
【図３】
2008062047.tif 000005
【図４】
2008062047.tif 000006
【図５】
2008062047.tif 000007
【図６】
2008062047.tif 000008
【図７】
2008062047.tif 000009
【図８】
2008062047.tif 000010
【図９Ａ】
2008062047.tif 000011
【図９Ｂ】
2008062047.tif 000012
【図１０】
2008062047.tif 000013
【図１１】
2008062047.tif 000014
【図１２】
2008062047.tif 000015
【図１３】
2008062047.tif 000016